(57)【要約】自動フォロプターと視力検査ソフトウェアを有するコンピューターとの間の通信を可能にするインターフェイス。視力検査ソフトウェアを有するコンピューターとともに用いられる、コンピューターのモニター用の調整可能なフィルター。本発明は、一般に、自動化された自動フォロプターと自動化された視力検査システムとに関し、さらに具体的には自動フォロプターと自動化された視力検査システムとの間のインターフェイスに関する。加えて、本発明は、自動化された視力検査システムを有するコンピューターのモニターの薄明視フィルターに関する。
2010528705.tif 000002
【特許請求の範囲】
【請求項１】
自動フォロプターと、
視力検査システムソフトウェアを含むコンピューターと、
該自動フォロプターと該コンピューターとの間の通信のためのインターフェイスと
を備える装置。
【請求項２】
前記インターフェイスが有線のインターフェイスである、請求項１に記載の装置。
【請求項３】
前記インターフェイスが無線のインターフェイスである、請求項２に記載の装置。
【請求項４】
前記自動フォロプターと通信する赤外線送信機と、前記コンピューターと通信する赤外線受信機とをさらに備える、請求項１または３に記載の装置。
【請求項５】
前記コンピューター上のインターフェイスソフトウェアをさらに備える、請求項１から４のいずれかに記載の装置。
【請求項６】
本明細書に記載の自動フォロプターのためのインターフェイス。
【請求項７】
本明細書に記載の装置。
【請求項８】
視力検査ソフトウェアを有するコンピューターと、
該コンピューターと通信するモニターと、
該モニターに固定されたフィルターと
を備える装置であって、該フィルターが、フレームに回転可能に装着されている偏光シートを含む装置。
【請求項９】
第１の偏光シートと前記モニターとの間に配置された前記フレームに固定された第２の偏光シートをさらに備える、請求項６に記載の装置。
【請求項１０】
本明細書に記載のフィルター。
【請求項１１】
本明細書に記載の装置を作る方法。
【請求項１２】
本明細書に記載の、自動フォロプターと視力検査ソフトウェアを有するコンピューターとの間で通信する方法。
【発明の詳細な説明】
【技術分野】
【０００１】
（関連出願）
本出願は、全体が本明細書に援用される、２００７年５月３０日に出願された米国仮出願第６０／９４０，８１０号および２００７年８月１６日に出願された米国仮出願第６０／９６５，０１０号の利益を主張する。
【０００２】
（技術分野）
本発明は、一般に、自動化された自動フォロプターと自動化された視力検査システムとに関し、さらに具体的には自動フォロプターと自動化された視力検査システムとの間のインターフェイスに関する。加えて、本発明は、自動化された視力検査システムを有するコンピューターのモニターの薄明視フィルターに関する。
【背景技術】
【０００３】
（背景）
現在のところ、眼科学および視力測定の分野では、データの捕捉および電子医療記録への転送を含め、自動フォロプターと、チャートプロジェクターと、検査の効率を向上するのに提供する他の装置とを制御するのに、自動化されたシステムが用いられる。チャートプロジェクターは、しかしながら、有限な数の利用可能な検査しか有せず、相当なメンテナンスを要求し、ランダムな視力検査表を提示できないので、使用が限定される。自動化されたフォロプターは新しい技術であり比較的高価であるので、開業医はしばしばより古くて時代遅れのチャートプロジェクターをより洗練された新しい技術と組み合わせて使うことに異議を唱えた。産業界には、チャートプロジェクターを排除して、より洗練されコンピューター化された視力検査システムを好み、結果として自動フォロプターとコンピューター化された視力検査および他の装置との統合を必要とする強い動きも存在する。
【０００４】
現在利用可能な自動フォロプターはＪａｃｋｓｏｎｖｉｌｌｅ，ＦｌｏｒｉｄａのＭＡＲＣＯが販売し、日本のＮＩＤＥＫが製造しているＲＴ−５１００自動フォロプターと、ＭＡＲＣＯ  Ｊａｃｋｓｏｎｖｉｌｌｅ，Ｆｌｏｒｉｄａが販売し、日本のＮＩＤＥＫが製造しているＲＴ−２１００自動フォロプターと、日本のＴＯＰＣＯＮが販売しているＣＶ−５０００とを含む。加えて、現在利用可能な自動化された視力検査システムは、Ｂｕｒｒ  Ｒｉｄｇｅ，ＩｌｌｉｎｏｉｓのＩｎｎｏｖａ  Ｓｙｓｔｅｍｓ，Ｉｎｃ．が販売しているＰＲＯＶＩＤＥＯ（Ｒ）を含む。
【０００５】
上記に加えて、多くの新しい眼科製品、特にコントラスト感度試験を必要とする眼科製品の臨床試験に対して、ＦＤＡは明所視および薄明視両方の光レベルにおいて実行される視覚分析を要求している。一部のケースでは暗所視のレベルも要求される。明所視のレベルは高光レベルであり、主として網膜錐体が主要な光レセプタである。薄明視のレベルは低−中光レベルであり、網膜杆細胞と網膜錐体の両方が光レセプタとして働く。暗所視のレベルは非常にほの暗い状態であり、網膜杆細胞のみが光レセプタとして働く。
【０００６】
多くの視覚検査に要求されるものは非常に細かく、明所視測定では１平方メートル当たり８５カンデラの特定の光レベルが要求され、薄明視測定では１平方メートル当たり３−４カンデラの特定の光レベルが要求され、暗所視測定では１平方メートル当たり２カンデラより少ない特定の光レベルが要求される。
【０００７】
従来の視覚検査方法では、これらのレベルは視覚検査チャートの照明を制御するか、ライトボックスデバイスの輝度を制御するかによって達成された。コンピューター化された視覚検査では、標準のＣＲＴあるいはＬＣＤモニターを使って、終始変わらず繰り返し可能な態様でこれらの光レベルを正確に作り出すことは不可能である。
【０００８】
正確な光レベルを達成する困難さに関連する１つの問題は、モニターの光出力が下げられる場合にコントラスト試験に要求される多くのグレーの陰を作り出せないということである。下げられた明るさで画質が下がり、次の試験のためにモニターを初期設定に戻すのは非常に面倒であるから、モニターの明るさは光レベルを制御するのに用いられなくあり得る。バックグラウンドをより暗いグレーの陰にすることによって光レベルを下げることは、検査視力表に利用可能なグレーの陰の数を、２５５からバックグラウンドに用いられるグレーの陰の値を引いた数に減少させる。モニタースクリーンにフィルターを設置するというわかりきった解決策は、正確で安定したフィルター濃度に欠け、光レベルを正すためにモニター／フィルターの組み合わせを較正することの困難性から、不適当である。
【発明の概要】
【課題を解決するための手段】
【０００９】
（簡潔な概要）
標準の眼科チャートプロジェクターと通信するように設計された自動フォロプターとの通信は、幅が変化する電圧パルスの高速シリーズを介して達成される。これらのパルスは表示されるチャートあるいはスクリーンに対応するユニークなコードを表現するが、自動化された視力検査システムのソフトウェアをも含み得る、コンピューターの標準のデータインターフェイスによっては直接に通訳され得ない。
【００１０】
データを「バイト」あるいは「ワード」で送受信する代わりに、情報が、期間が変化する電圧パルスのシリーズとして送られる。コンピューターソフトウェア、特にインターフェイスソフトウェアはこれらを、コンピューターのＲＳ−２３２あるいはＵＳＢのポート上で直接読み込みおよび制御され得る任意のライン上で、「状態変化」、高（５Ｖ）から低（３Ｖ未満）への変化として検知し得る。自動フォロプターの受信ラインは、ソフトウェア、特にインターフェイスソフトウェアによって直接制御され得るＲＳ−２３２あるいはＵＳＢのポートの任意の未使用ラインにも接続され得る。選択されたラインの状態を５Ｖから０Ｖに急激に変化させることは、自動フォロプターの受信ラインに正しいフォーマットの電圧パルスのシリーズとなって現われる。
【００１１】
コンピューターと自動フォロプターとの間の通信は、ＲＳ−２３２、ＵＳＢ、パラレルポート、またはコンピューターへの任意の他の利用可能な外部接続の上のラインの任意の組み合わせを使用するインターフェイスによって達成され得、そのインターフェイスはコンピューター上で実行されているインターフェイスソフトウェアによって、ＲＳ−２３２伝達あるいは受信ラインを除いて、高レートのスピードで制御され得る。
【００１２】
加えて、自動フォロプターと、自動化された視力検査システムのソフトウェアを含むコンピューターとの間のインターフェイスが無線であることが企図されている。自動フォロプター上の無線インターフェイスは、有線インターフェイスに関して上に記載されたと同様のパルス信号を含む、標準の赤外線周波数での赤外線信号を送信する。コンピューターのインターフェイスソフトウェアはこれらの信号の完全なデータベースを含み、入ってくる信号はデータベースに含まれるコードと比較されて、どのスクリーンを表示するのか、あるいはどのアクションが必要かが決定される。
【００１３】
所望のアクションが、コマンドの形式で、視覚検査システムソフトウェアにコマンド実行のためにインターフェイスソフトウェアによって送信される。
【００１４】
数社の製造業者製のデバイスからの信号を含むデータベースを確立することによって、本発明の本実施形態は、システムをあらかじめ構成する必要もなくして、異なる製造業者製の装置あるいは任意のサポートされる製造業者のもとで作動している装置から、赤外線信号を同時に受け入れる能力を有する。
【００１５】
自動フォロプターコントロールユニットとコンピューター化された視力との間のインターフェイスは、追加の検査、ランダム化、および自動化された視力検査システムの追加のインターフェイスと共に自動フォロプターが用いられることを可能にする。
【００１６】
自動化された視力検査システムは、自動フォロプターコントロールユニットおよび自動化された視力検査システムリモートコントロールによって制御され得る。自動フォロプターのコントロールユニット上の現在は利用可能でないチャートは、自動化された視力検査システムリモートコントロールで直接アクセスされ得る。医者に利用可能な検査あるいはインターフェイスを決して制限せずに、どちらのユニットからの信号も同時に受信され得る。
【００１７】
１つの実施形態においては、自動フォロプター／コンピューター化された視力システムインターフェイスは有線バージョンと赤外線リモートバージョンの両方からなる。１つの信号源は、特定のチャートボタンがアクティブになったときに、自動フォロプターコントロールユニットから生ずる。その信号は視覚検査システムによって傍受される。どちらのバージョンもバイナリーコードを視覚検査システムに転送し、コンピューター化されたチャートディスプレイにトリガーをかける。バイナリー信号はデコードされ、コンピューター化された視力チャートディスプレイを制御する。自動フォロプターコントロールユニット上で１つまたはそれよりも多くのボタン押下はコンピューター化されたチャートディスプレイ上の単一のイベントにトリガーをかけるのに用いられ得る。
【００１８】
本発明はまた、様々な濃度のフィルターを組み込むことによって、視覚検査システムの光出力にほぼ無限の調整を提供する。フィルターは線偏光されたフィルター材料の大きなシートで構成されており、そのシートはモニターの前面に添付される。このフィルターに線偏光されたフィルター材料の回転可能な（円形の）シートが添付される。移動可能なシートが回転するとき、フィルター材料の２枚のシートを通過する光は、強度が正確に制御され得る。フィルターは、移動可能なシートを回転し標準の光度計で光透過性を計測することによって、任意の所望濃度に較正され得る。
【図面の簡単な説明】
【００１９】
【図１】図１は本発明の第１の実施形態の図である。
【図２】図２は本発明の第１の実施形態のインターフェイスの電気ダイアグラムである。
【図３】図３は本発明の第２の実施形態の図である。
【図４】図４は本発明の第２の実施形態のインターフェイスの電気ダイアグラムである。
【図５】図５は本発明の無線の実施形態の図である。
【図６】図６は本発明によるフィルターの図である。
【図７】図７は本発明によるフィルターの代替的な図である。
【発明を実施するための形態】
【００２０】
（詳細な説明）
容易に理解されるであろうが、本明細書に一般的に記載されかつ図示された実施形態の構成要素は、幅広い種類の異なる構成に作り変えられ設計され得る。従って、様々な実施形態の以下のさらに詳細な記載は、図に表現されるものであるが、本発明の開示範囲を制限することを意図したものではなく、ただ単に様々な実施形態を表現し得るだけである。実施形態の様々な局面が図に提示されるが、図は特に指示しない限り一定のスケールで描かれる必要はない。
【００２１】
本発明は、その精神あるいは本質的特徴から逸脱せずに、他の特定の形態に具体化され得る。記載される実施形態はすべての点でただ、例示に過ぎず限定的でないものとして考えられる。本発明の範囲は、それゆえ、前述の記載によってよりはむしろ添付の特許請求の範囲によって示される。特許請求の範囲の均等物の意味および範囲内にあるすべての変形例は、それらの範囲内に包含される。
【００２２】
本明細書を通しての特徴、利点、または類似語の参照は、本発明で現実化され得るすべての特徴および利点が、本発明の任意の単一の実施形態であるべきあるいはであるということを意味しない。むしろ、特徴および利点をいう言葉は、１つの実施形態に関連して記載される特定の特徴、利点、または特性が、本発明の少なくとも１つの実施形態に含まれるということを意味すると理解される。このように、特徴と、利点および類似語の議論は本明細書を通して、同じ実施形態をいい得るが、しかし必然的ではない。
【００２３】
さらに、記載された本発明の特徴と、利点および特性は、適当な態様で１つまたはそれよりも多くの実施形態に結合され得る。当業者は、特定の実施形態の特定の特徴および利点の１つまたはそれよりも多くがなくても、本発明が実施され得ることを認識するであろう。他の例では、追加の特徴および利点が、本発明のすべての実施形態に提示されなくあり得る、ある実施形態に認められ得る。
【００２４】
本明細書を通しての「１つの（ｏｎｅ）実施形態」、「１つの（ａｎ）実施形態」、または類似語の参照は、実施形態に関連して記載される特定の特徴、構造、または特性が本発明の少なくとも１つの実施形態に含まれることを意味する。このように、本明細書を通しての「１つの（ｏｎｅ）実施形態において」と、「１つの（ａｎ）実施形態において」および類似語の句の出現は、すべて同じ実施形態をいい得るが、しかし必然的ではない。
【００２５】
以下の記載において、本発明の実施形態の完全な理解を提供するために、多数の特定の詳細が提供される。当業者は、しかしながら、本発明が１つまたはそれよりも多くの特定の詳細がなくとも、あるいは他の方法、構成要素および材料などとともに実施され得ることを認識するであろう。
【００２６】
さらに手の込んだことをしなくても、当業者は先の記載を用いて本開示を最大限まで利用し得ると信ずる。本明細書に記載される実施例および実施形態は単に図示されるものと解釈されるべきであり、いかなる方法でも本開示の範囲を制限するものではない。本明細書に提供される開示の原則のもとから離れることなく、上述の実施形態の詳細に変形がなされ得ることは、当業者には明白であろう。言い換えれば、上述の明細書内に特に開示される実施形態の様々な修正および改善は、添付の特許請求の範囲内にある。ミーンズプラスファンクションのフォーマットに列挙される要素が３５  Ｕ．Ｓ．Ｃ．セクション１１２段落６に従って解釈されるよう意図されていることに注意されたい。本発明の範囲はそれゆえ以下の特許請求項によって定義される。
【００２７】
（自動フォロプターインターフェイス）
図１に描かれているように、本発明の第１の実施形態１０は、自動フォロプター１２、視力検査ソフトウェアを有するコンピューター１４、およびインターフェイス１６を含む。この実施形態においては自動フォロプターはＲＴ−５１００である。
【００２８】
自動フォロプター１２は接続ポート２０を含む。図２に示されるように、接続ポート２０は以下の接続を有する
ピン１−ＧＮＤ
ピン２−ＩＲ＿Ｒｘ（赤外線−この実施形態では使用されない）
ピン３−ＩＲ＿Ｔｘ（赤外線−この実施形態では使用されない）
ピン４−＋１２Ｖ
ピン５−Ｗ＿Ｔｘ（有線）
ピン６−Ｗ＿ＲｘＡ（有線）
ピン７−Ｗ＿ＲｘＫ（有線）
ピンＥ−フレームＧｎｄ。
【００２９】
図２に詳細に示されるように、この実施形態のインターフェイス１６は、自動フォロプター１２の接続ポート２０とコンピューター１４との間の以下の接続を含む。
【００３０】
接続ポート２０からの１２Ｖライン（ピン４）は、Ａｔｅｎ  ＩＣ−４８５ＳＮ  ＲＳ４８５−ＲＳ２３２コンバーターのＲｘ端子に接続されている。これがＲＳ−４８５−ＲＳ−２３２ボードに、ＲＳ−２３２のピン５（２５ピン構成−ＣＴＳ）を５Ｖに維持させ、ＲＳ−２３２のピン５は今度は３９０６ＰＮＰトランジスターのコレクターピンに接続されている。
【００３１】
接続ポート２０からのＷ＿Ｔｘライン（ピン５）は、本発明のこの実施形態においてスイッチングトランジスターとして用いられる３９０６ＰＮＰトランジスターのベース端子に接続されている。これは接続ポート２０のピン４（１２Ｖ）とピン５（Ｗ＿Ｔｘ）との間に電流ループを完成する。
【００３２】
接続ポート２０からのＷ＿ＲｘＡ（ピン６）は、コンピューター１４のＲＳ−２３２接続上のＲＳ−２３２ＤＴＲ（データ端子レディ−ピン４）に直接に接続されている。
【００３３】
接続ポート２０からのＷ＿ＲｘＫ（ピン７）は、コンピューター１４のＲＳ−２３２ＧＮＤ（信号接地−ピン５）に直接に接続されている。
【００３４】
接続ポート２０からのシェルすなわち「フレーム接地」（ピンＥ）は、Ａｔｅｎ  ＩＣ−４８５ＳＮ  ＲＳ−４８５−ＲＳ−２３２コンバーターのＲｘ端子に接続されている。
【００３５】
インターフェイス１６は今度は、コンピューター１４からのシェルピンをＡｔｅｎ  ＩＣ−４８５  ＲＳ−４８５−ＲＳ−２３２コンバーターのシェル（ピンＥ）に接続することによって完成される。シェル（ピンＥ）は、次にＲＳ−４８５−ＲＳ−２３２コンバーターのＴｘ端子を介して、接続ポート２０のシェル（フレーム接地）に接続される。
【００３６】
３９０６ＰＮＰトランジスターのエミッター端子をコンピューター１４のＲＳ−２３２接続上のシェル（フレーム接地）に接続し、また３９０６ＰＮＰトランジスターのコレクターをコンピューター１４のＲＳ−２３２接続上のＣＴＳ（送信のクリアライン−ピン８）に接続することによって、パルス信号がコンピューター１４に提供される。
【００３７】
信号は、３９０６ＰＮＰトランジスターを介して接続ポート２０のＷ＿Ｔｘ（有線伝達）ラインに接続されている、ＲＳ−２３２インターフェイス上のコンピューターのＣＴＳラインの「状態」の変化のタイミングを計ることでコンピューター１４によって受信される。
【００３８】
接続ポート２０のＷ＿ＲｘＡ（有線受信）に直接に接続されている、コンピューター１４のＲＳ−２３２ＤＴＲラインの「状態」を急激に変えることで、信号はコンピューター１４によって自動フォロプター１２に伝達される。
【００３９】
Ａｔｅｎ  ＩＣ−４８５ＳＮ  ＲＳ−４８５−ＲＳ−２３２コンバーターは、接続ポート２０の１２Ｖラインから接続ポート２０のＷ＿Ｔｘ（有線伝達）ラインに低電圧の電流ループを提供するために用いられるので、ＲＳ−４８５−ＲＳ−２３２コンバーターは本発明のこの実施形態にとって本質的なものではなく、性能を変化させることなく第２の実施形態に用いられる有線インターフェイスで自由に置き換えられ得る。
【００４０】
本発明の第２の実施形態１００もまた自動フォロプター１１２、視力検査ソフトウェアを有するコンピューター１１４、およびインターフェイス１１６を含む。この実施形態においては自動フォロプターはＲＴ−２１００である。
【００４１】
自動フォロプター１１２は接続ポート１２０を含む。図４に示されるように、接続ポート１２０は以下の接続を有する
ピン４−＋１２Ｖ
ピン５−Ｗ＿Ｔｘ（有線）
ピン６−Ｗ＿ＲｘＡ（有線）
ピン７−Ｗ＿ＲｘＫ（有線）
ピンＥ−フレームＧｎｄ。
【００４２】
図４に詳細に示されるように、この実施形態のインターフェイス１１６は、自動フォロプター１１２の接続ポート１２０とコンピューター１１４との間の以下の接続を含む。
【００４３】
接続ポート１２０からの１２Ｖライン（ピン４）は、２２００オームの抵抗に接続されており、抵抗の反対側の端は接続ポート１２０上のピン５のＷ＿Ｔｘ（有線伝達）ラインに接続されており、２つの端子の間で電流ループを作っている。
【００４４】
接続ポート１２０からのＷ＿Ｔｘライン（ピン５）は、２２００オームの抵抗を介してピン６（１２Ｖ）に接続されていることに加えて、５Ｖゼナーダイオードのアノード端に接続されている。
【００４５】
接続ポート１２０からのＷ＿ＲｘＡ（ピン６）は、コンピューター１１４のＲＳ−２３２接続上のＲＳ−２３２ＲＴＳ（送信リクエスト−ピン７）に直接に接続されている。
【００４６】
接続ポート１２０からのＷ＿ＲｘＫ（ピン７）は、コンピューター１１４のＲＳ−２３２ＤＴＲ（データ端子レディ−ピン４）接続に直接に接続されている。
【００４７】
接続ポート１２０からのシェルすなわち「フレーム接地」は、コンピューター１１４のＲＳ−２３２接続のシェルすなわち「フレーム接地」に直接に接続されている。
【００４８】
回路を完成させるために、コンピューター１１４のＲＳ−２３２接続（ピン８）上のＣＴＳ（送信のクリア）ラインがゼナーダイオードのカソードに接続されている。
【００４９】
自動フォロプター１１２からのパルスシリーズを受信するために、接続ポート１２０のＴｘライン（接続ポート１２０上のピン５）からＴｘ電流ループに信号が、１２Ｖ上のパルス電圧降下によって送信される。ゼナーダイオードを通る電流の電圧降下は、コンピューター１１４によって受信された信号を、電圧「パルス」シリーズとして発生させる。これらのパルスは、コンピューター１１４にインストールされたインターフェイスソフトウェアによって検知される、コンピューター１１４上のＲＳ−２３２ＣＴＳラインの状態を変化させる。インターフェイスソフトウェアはＲＳ−２３２ＣＴＳラインの状態変化の各々の発生を記録し、記録されたデータに基づいてパルスの期間を計算する。各々のコマンドに関連したパルスの既知数およびフォーマットを使用して、インターフェイスソフトウェアはコマンドの数個のサンプルを集め、視力システムから誤った応答を排除する。一旦数個のコマンドが自動フォロプターコントローラーから受信されると、成功した通信を示すリターンコードが自動フォロプターに以下の段落に記載される態様で送信される。
【００５０】
コンピューター１１４からの信号を自動フォロプター１１２に伝達するために、コンピューター１１４のＲＴＳ（送信リクエスト−ピン７）ラインはＰｒｏｖｉｄｅｏ  ＡｕｔｏＬｉｎｋ  インターフェイスソフトウェアによって急激に変化させられる。コンピューター１１４からのＲＴＳラインは、コンピューター１１４からの信号を電圧パルスシリーズとして受信する、接続ポート１２０上のＲｘＡ（受信）ラインに直接に接続されている。
【００５１】
上記の実施形態に加えて、本発明は自動フォロプターとコンピューターとの間の「無線」インターフェイスを企図している。この実施形態においては、本発明は自動フォロプター２００、自動フォロプター２００と通信する赤外線送信機２０２、赤外線受信機２０４、および赤外線受信機２０４と通信するコンピューター２０６を含み得る。コンピューター２０６は視力検査ソフトウェアとインターフェイスソフトウェアとを含む。
【００５２】
（コンピューター化された視力に対する薄明視フィルター）
本発明は、２枚の透過性の線偏光された材料からなるフィルターを通して見るときに、両方のシートの偏光軸が平行である場合には、フィルターは完全に透過性のようにみえ、２枚のシートの偏光軸が９０°の位置にある場合には、フィルターは完全に不透過性のようにみえるという事実に基づいている。
【００５３】
本発明のこの実施形態３００（図５および図６に描かれている）は、コンピューター３０２、モニター３０４、およびフィルター３０６を含む。コンピューター３０２は視力検査ソフトウェアを含む。モニター３０４はＣＲＴモニターあるいはＬＣＤモニターであり得る。ＣＲＴモニターは一般に、視野範囲の前表面に適用される偏光フィルターを有さない。本出願のフィルター３０６の第１の実施形態（ここではモニターがすでに偏光フィルターを含んでいるわけではない）は、２枚の偏光フィルター材料３１０、３１２、およびフレーム３１４を含む。フロントシート３１２はモニター３０４の視野範囲内に納まる最大の可能な直径を有する円であることが好ましい。円の透過性部分のためのフレーム３１４は、不透過性であるべきであり、かつ、モニター３０４にフックとループのファスナー、クリップ、ひも、ボタン、または任意の他のファスナーを介して取り付けるにのに十分な大きさのマージンを加えた、視野範囲全体をカバーできるだけのサイズを有しているべきである。あるいは、偏光材料とペイント、ラミネートの矩形のシートを用いることも可能であり、そうでなく、正確に直径の中心にある円を除くすべての領域に光が通過することをブロックすることも可能である。こうしてバックシート３１０とフレーム３１４とが同一の材料シートから成り得る。
【００５４】
フロントシート３１２は、バックシート３１０の中心の上に取り付けられ、フロントシート３１２がバックシート３１０周りに回転可能にするベゼル３２０、溝、または保持部によって適切な位置に維持されている。フィルター３０６が装着されると、モニター３０４は、フィルター材料の両シートの偏光軸が平行となっている透過性設定において、どのような光レベルが要求されても許可するように較正され得る。回転可能なシート３１２はそこで１００％から０％の任意のパーセンテージの光透過を許可するために、０から９０度回転され得る。較正マーク３２２がフレーム３１４上に印刷され得、光度計での光透過性を測定することによって、正確な設定での第１のシート３１２上のアライメントマーク３２６が確立される。
【００５５】
モニター３０４は、視野範囲の前表面に適用された偏光フィルターを通常有するＬＣＤモニターでもあり得る。本出願のフィルター３０６の実施形態（ここではモニターがすでに偏光フィルターを有している）は、フィルター３０６がリアシート３１０を含む必要がないことを除いて、上記と同様のものを備える。調整および較正は、ＣＲＴモニターに関して述べた上記フィルターと全く同一である。
【００５６】
（電子医療記録とのコンピューター化された視力システムインターフェイス）
自動フォロプターはファイルにデータを書き込み、そのファイルは電子医療記録（ＥＭＲ）にＸＭＬファイルとして転送される。自動フォロプターと視力検査ソフトウェアを有するコンピューターとの間のインターフェイスは、実施される特定の検査または患者に提示される患者教育材料のような追加の情報がＥＭＲ転送用に格納されることを可能にする。視力検査ソフトウェアを有するコンピューターは、任意の電子医療記録ソフトウェアパッケージとインターフェイスし得るようにデータを医療標準フォーマット（ＤＩＣＯＭ）で転送する。
【００５７】
（コンピューター化された視力に対する自動較正）
コントラスト試験を含む、研究および臨床試験における視覚検査に対して、ＦＤＡは任意の視覚検査デバイスのホワイト値が１平方メートル当たり８５カンデラ＋／−２０％であることを要求している。研究および臨床試験に対する視覚検査の現在の標準は、較正された光源によって照明された半透明の視覚検査チャートを有するライトボックスである。
【００５８】
視覚検査のコントラストは（ａ−ｂ）／（ａ＋ｂ）として定義され、ａはホワイト値であり、ｂはダーク値と光の値との差である。コンピューター化されたコントラスト試験においては、より暗い値はコンピューター／モニターの組み合わせが作り出し得る純粋なグレーの陰から選択されなくてはならない。１６００万色のモニターは２５５の純粋なグレーの陰を有する。正確なコントラストを作り出すために、より暗い値は利用可能な２５５のグレーの陰の中から正確に識別されなくてはならない。
【００５９】
視覚検査提示のための、特定のコントラストを較正する好ましい方法は、任意のコントラスト試験スクリーンを表示する前にコントラストレベルを測定し事前に計算することである。これはモニターによって作り出される光とダーク値を光度計で測定し、上記の定則に基づいて、所望のコントラストレベルを作り出すグレーの陰を選択することによってなされる。
【００６０】
本発明は、シリアルあるいはＵＳＢのポートを通してコンピューターに接続された光度計を用いる。シリアルあるいはＵＳＢのポートは、所望のコントラストレベルの各々に最もぴったりマッチするグレーの陰を自動的に選択するソフトウェアに、測定された光レベルを供給する。ソフトウェアはコンピューター／モニターが作り出し得るすべてのグレーの陰の中を循環し、所望のコントラストレベルの各々に対する最良のグレーの陰を選択する。
【００６１】
従来のコントラストの並びは対数の漸進値によって表現されるが、これは現代のコンピューター／モニターの組み合わせを用いていつも可能なものではない。一旦システムが目標値に最もぴったりマッチするグレーの陰を確立すると、それは次に実際のコントラスト値を計算し、患者のコントラスト閾値を計算するためにこれらを用いることになる。
【００６２】
（コンピューター化された視力に対する現場較正）
コンピューターのモニターは時間経過とともに光出力とコントラストレベルの両方において変化する。臨床試験に対して、ＦＤＡはシステム較正の日々の検証を要求している。それゆえ、専門家がコントラストレベルを検証でき、必要ならコントラストレベルをサンプル読み値に合うように自動的に調整できるという、現場較正の必要がある。
【００６３】
専門家はコントラスト試験を実行する前に、システムの較正を検証するために、選択されたコントラストレベル（数個）を測定する。コントラスト測定値がサンプルのコントラストレベルに対する記録された較正設定値とマッチしない場合には、コントラスト曲線およびグレーの陰の割り当ての各々がサンプル読み値に合うようにソフトウェアによって調整される。
【００６４】
さらに手の込んだことをしなくても、当業者は先の記載を用いて本開示を最大限まで利用し得ると信ずる。本明細書に記載される実施例および実施形態は単に図示されるものと解釈されるべきであり、いかなる方法でも本開示の範囲を制限するものではない。本明細書に提供される開示の原則のもとから離れることなく、上述の実施形態の詳細に変形がなされ得ることは、当業者には明白であろう。言い換えれば、上述の明細書内に特に開示される実施形態の様々な修正および改善は、添付の特許請求の範囲内にある。ミーンズプラスファンクションのフォーマットに列挙される要素が３５  Ｕ．Ｓ．Ｃ．セクション１１２段落６に従って解釈されるよう意図されていることに注意されたい。本発明の範囲はそれゆえ以下の特許請求項によって定義される。
【図１】
2010528705.tif 000003
【図２】
2010528705.tif 000004
【図３】
2010528705.tif 000005
【図４】
2010528705.tif 000006
【図５】
2010528705.tif 000007
【図６】
2010528705.tif 000008
【図７】
2010528705.tif 000009
【国際調査報告】
2010528705.tif 000010
2010528705.tif 000011